【事件の表示】
　特許第３１９２２７６号「クリーニング装置」の請求項１に係る特許に対する特許異議の申立てについて、次のとおり決定する。
【結　論】
　訂正を認める。
　特許第３１９２２７６号の請求項１に係る特許を取り消す。
【理　由】
１．手続きの経緯
　本件特許第３１９２２７６号の請求項１に係る発明は、平成５年５月１２日に特許出願され、平成１３年５月２５日にその特許権の設定登録がなされ、その後、平成１４年１月２２日に大久保洋子により特許異議の申立てがなされ、取消しの理由が通知され、その指定期間内である平成１４年９月１７日に特許異議意見書が提出されるとともに、訂正請求がなされたものである。
　
２．訂正の適否についての判断
（１）訂正の内容
［訂正事項ａ］
　特許査定時の明細書の特許請求の範囲の請求項１に
「像担持体からトナーを除去する除去手段と、除去したトナーを搬送するトナー搬送スクリューと、これらの構成要素を収納する筺体と、該筺体を含む各構成要素を一体的に該像担持体表面から接離する機構を備えたクリーニング装置において、上記像担持体から該筺体を含む各構成要素が離間する時に上記トナー搬送スクリューを作動させるように制御する制御部を備えたことを特徴とするクリーニング装置。」
とあるのを、
「像担持体からトナーを除去する除去手段と、除去したトナーを搬送するトナー搬送スクリューと、これらの構成要素を収納する筺体と、該筺体を含む各構成要素を一体的に該像担持体表面から接離する機構を備えたクリーニング装置において、
上記トナー搬送スクリューは、その作動により上記筺体内に負圧を生じさせるものであって、
と訂正する。
［訂正事項ｂ］
　特許査定時の明細書の発明の詳細な説明の段落【０００５】の記載の
「上記目的を達成するため、…構成したことを特徴とする。」を、
「上記目的を達成するために、本発明は、像担持体からトナーを除去する除去手段と、除去したトナーを搬送するトナー搬送スクリューと、これらの構成要素を収納する筺体と、該筺体を含む各構成要素を一体的に該像担持体表面から接離する機構を備えたクリーニング装置において、
上記トナー搬送スクリューは、その作動により上記筺体内に負圧を生じさせるものであって、
と訂正する。
　
（２）訂正の目的の適否、新規事項の有無及び拡張・変更の存否
［訂正事項ａ］
　訂正事項ａは、発明を特定するための事項である「トナー搬送スクリュー」について、「その作動により上記筺体内に負圧を生じさせるもの」に限定するものであって、特許請求の範囲の減縮を目的とするものである。
　また、特許査定時の明細書には、「回収トナーの搬送手段であるスクリュー１０２を高速で回転させることにより、筺体１００内を常時負圧（筺体外の機内圧との比較）にしておき、加圧解除時においてもスクリューを回転させ続けて負圧を維持することにより、スクリュー駆動用のモータを制御するようにした。」（段落【００１６】）、また、「クリーニング装置内の搬送スクリューを高速回転して筺体内を負圧にしたり、ファンによって負圧を生成するようにしたので、優れたトナー飛散防止効果を発揮することができる。」（段落【００２０】）と記載されているので、上記訂正事項は新規事項の追加には該当しないし、特許請求の範囲を実質的に拡張したり、変更するものではない。
［訂正事項ｂ］
　訂正事項ｂは、特許請求の範囲の請求項１の訂正に伴い、発明の詳細な説明の記載をそれに整合させるための訂正であり、明りょうでない記載の釈明を目的とするものである。
　また、この訂正事項ｂは訂正事項ａと対応するものであり、上で述べたように新規事項の追加には該当しないし、特許請求の範囲を実質的に拡張したり、変更するものではない。
　
（３）むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。
　
３．特許異議の申立てについての判断
（１）本件発明
　上記２．で示したように上記訂正が認められるので、本件の請求項１に係る発明は、上記訂正に係る訂正明細書の特許請求の範囲の請求項１に記載された事項により特定される次のとおりのものであり、以下「本件発明」という。
「【請求項１】像担持体からトナーを除去する除去手段と、除去したトナーを搬送するトナー搬送スクリューと、これらの構成要素を収納する筺体と、該筺体を含む各構成要素を一体的に該像担持体表面から接離する機構を備えたクリーニング装置において、上記トナー搬送スクリューは、その作動により上記筺体内に負圧を生じさせるものであって、上記像担持体から該筺体を含む各構成要素が離間する時に、上記トナー搬送スクリューを作動させるように制御する制御部を備えたことを特徴とするクリーニング装置。」
（２）引用刊行物に記載された発明
　当審で通知した取消の理由で引用した刊行物１（特開昭６２−２４２９８４号公報）には、次のような技術的事項が図面とともに記載されている。
［刊行物１］
ａ．次に、クリーナユニット１０ａの詳細な構成を第２図，第３図とともに説明する。…１７は除去したトナーを軸方向に搬送するスクリューである。ファーブラシ１４，回収ローラ１５，掻き落とし板１６，およびスクリュー１７の４つの要素はユニット化されている。（第３頁右上欄第１３行〜同頁左下欄第６行参照）
ｂ．２０はファーブラシ１４を感光体１方向に押圧するプランジャ、２１はクリーナユニット１０ａとプランジャ２０を連結する連結具、２２はファーブラシ１４を感光体１から離間する方向に付勢するばねで、２３はファーブラシ１４より小径でその両端に同軸で緩挿されたスペーサリング、２４はファーブラシ１４に平行でクリーナユニット１０ａを装置本体に回動可能に支持する支持軸である。２５〜３１は感光体１からの回転を伝達する歯車列で、２５は感光体１に、２６は支持軸２４に、２７と２８は回収ローラ１５に、２９はファーブラシ１４に、３０はスクリュー１７にそれぞれ設けられている。３１は回収ローラ１５とファーブラシ１４を伝達する中間歯車である。（第３頁左下欄第１０行〜同頁右下欄第３行参照）
ｃ．カラー画像の転写後のクリーニング時において、プランジャ２０に通電してクリーナユニット１０ａをスペーサリング２３が感光体１に接触する位置まで押圧する。この時ファーブラシ１４は感光体１の回転とともに回転しているので、感光体１の表面を摺擦し残留したトナーを掻き取る。…回収ローラ１５に吸着されたトナーは掻き取り板１６で掻き取られ、スクリュー１７でＸ方向に搬送され回収箱（図示せず）に送られる。（第３頁右下欄第４行〜同頁右下欄１６行参照）
ｄ．クリーニングが終了するとプランジャ２０の通電が遮断され、ばね２２によりファーブラシ１４が感光体１から離間する。この時、ファーブラシ１４は感光体１から離間しても回転支軸を介して回転が伝達され、直流電圧の印加を継続することでファーブラシ１４に付着したトナーが除去され、常に初期の状態を保つよう構成している。（第３頁右下欄第１６行〜第４頁左上欄第３行参照）
ｅ．又ファーブラシが感光体から離間している時も、ファーブラシと回収ローラにそれぞれ電圧を印加し、回転を継続させることにより、ファーブラシに蓄積したトナーを除去してファーブラシのクリーニング能力を回復し、次の記録に影響のないカラーの画像記録装置を得ることができた。（第４頁右上欄第１４行〜同頁右上欄第２０行参照）
ｆ．第３図には、感光体１、回収ローラ１５、ファーブラシ１４、スクリュー１７及びそれらの歯車列の連結状態が記載されており、また、回収ローラ１５の支持軸に設けられた歯車２８とスクリュー１７の支持軸に設けられた歯車３０とが連結しているのが図示されている。
　
　以上の記載を対比のためにまとめると、
ア）摘記事項ｄ．の記載から、ファーブラシ１４が感光体１から離間している時は、プランジャ２０への通電が遮断されて、支持軸２４を回動中心として、クリーナユニット１０ａを含む各構成要素全体が、感光体から離間しているものであり、
イ）摘記事項ｄ．及びｅ．の記載から、ファーブラシ１４が感光体１から離間している時に、ファーブラシ１４及び回収ローラ１５が回転しているものであり、
ウ）摘記事項ｂ．、摘記事項ｆ．及び第３図の記載から、回収ローラ１５の支持軸に設けられた歯車２８とスクリュー１７の支持軸に設けられた歯車３０とが連結しているので、回収ローラ１５が回転しているときはスクリュー１７も回転しているものであって、このことから感光体１からクリーナユニット１０ａを含む各構成要素が離間する時に、スクリュー１７も作動させるものであり、
　刊行物１には次のような発明が記載されている。
「感光体からトナーを除去するファーブラシと、除去したトナーを搬送するスクリューと、これらの構成要素を収納するクリーナユニットと、該クリーナユニットを含む各構成要素を一体的に該感光体表面から接離する機構を備えたクリーナにおいて、上記感光体から該クリーナユニットを含む各構成要素が離間する時に、上記スクリューを作動させるように制御するクリーナ。」
　
（３）対比・判断
　本件発明と刊行物１に記載された発明とを対比すると、刊行物１に記載された発明の「感光体」、「ファーブラシ」、「スクリュー」、「クリーナユニット」、「該クリーナユニットを含む各構成要素を一体的に該感光体表面から接離する機構」及び「クリーナ」は、それぞれ本件発明の「像担持体」、「除去手段」、「トナー搬送スクリュー」、「筺体」、「該筺体を含む各構成要素を一体的に該像担持体表面から接離する機構」及び「クリーニング装置」に相当し、
　したがって、両者間には次のような一致点、相違点がある。
（一致点）
　像担持体からトナーを除去する除去手段と、除去したトナーを搬送するトナー搬送スクリューと、これらの構成要素を収納する筺体と、該筺体を含む各構成要素を一体的に該像担持体表面から接離する機構を備えたクリーニング装置において、上記像担持体から該筺体を含む各構成要素が離間する時に、上記トナー搬送スクリューを作動させるように制御するクリーニング装置。
（相違点）
　トナー搬送スクリューについて、本件発明では、その作動により筺体内に負圧を生じさせるものであるのに対して、刊行物１に記載された発明は、スクリューの作動により負圧を生じさせているのかについての記載がない点。
（相違点の検討）
　刊行物１に記載のスクリューは、その回転によりトナーを移送するとともに、空気の移動を生じさせているものであり、上記摘記事項ｃ．の「（トナーが）スクリュー１７でＸ方向に搬送され回収箱（図示せず）に送られる」とあることから、空気の流れは筐体から外部回収箱に向かう方向であり、スクリューの作動は筐体内に多かれ少なかれ負圧を生じさせるものである。
　したがって、刊行物１に記載の発明も、スクリューの作動によりクリーナユニット内に負圧を生じさせるものであって、上記相違点は実質的に相違しているとはいえない。
　
　なお、特許権者は、平成１４年９月１７日付け特許異議意見書において、刊行物１に記載の発明は、像担持体から該筺体を含む各構成要素が離間する時に、トナー搬送スクリューが、作動して負圧を生じるように、制御部によって制御されるものではなく、そのため、像担持体から該筺体を含む各構成要素が離間する時に、ファーブラシと回収ローラ間で生じる飛散トナーの筐体内・外への飛散防止を期待することができない旨主張している。
　しかしながら、上記のとおり刊行物１には、感光体からクリーナユニットを含む各構成要素が離間している時にスクリューが作動するように制御するものであり、結果的に負圧が生じて飛散トナが筐体外に飛散するのを防止することになるから、飛散防止を期待することができない旨の上記主張は採用できない。
　
（４）まとめ
　したがって本件発明は実質的に刊行物１に記載された発明である。
　
４．むすび
　以上のとおりであるから、本件発明は、特許法第２９条第１項第３号に該当し、特許を受けることができない。
　したがって、本件発明についての特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月７日（２００２．１１．７）
【訂正の要旨】
訂正の要旨
１．訂正事項ａ
　特許査定時の明細書の特許請求の範囲の請求項１に
「像担持体からトナーを除去する除去手段と、除去したトナーを搬送するトナー搬送スクリューと、これらの構成要素を収納する筺体と、該筺体を含む各構成要素を一体的に該像担持体表面から接離する機構を備えたクリーニング装置において、上記像担持体から該筺体を含む各構成要素が離間する時に上記トナー搬送スクリューを作動させるように制御する制御部を備えたことを特徴とするクリーニング装置。」
とあるのを、特許請求の範囲の減縮を目的として、
「像担持体からトナーを除去する除去手段と、除去したトナーを搬送するトナー搬送スクリューと、これらの構成要素を収納する筺体と、該筺体を含む各構成要素を一体的に該像担持体表面から接離する機構を備えたクリーニング装置において、
上記トナー搬送スクリューは、その作動により上記筺体内に負圧を生じさせるものであって、
と訂正する。
２．訂正事項ｂ
　特許査定時の明細書の発明の詳細な説明の段落【０００５】の記載を、明りょうでない記載の釈明を目的として、
「上記目的を達成するために、本発明は、像担持体からトナーを除去する除去手段と、除去したトナーを搬送するトナー搬送スクリューと、これらの構成要素を収納する筺体と、該筺体を含む各構成要素を一体的に該像担持体表面から接離する機構を備えたクリーニング装置において、
上記トナー搬送スクリューは、その作動により上記筺体内に負圧を生じさせるものであって、
と訂正する。
（５４）【発明の名称】
クリーニング装置
（５７）【特許請求の範囲】
　【請求項１】
　像担持体からトナーを除去する除去手段と、除去したトナーを搬送するトナー搬送スクリューと、これらの構成要素を収納する筐体と、該筐体を含む各構成要素を一体的に該像担持体表面から接離する機構を備えたクリーニング装置において、
上記トナー搬送スクリューは、その作動により上記筐体内に負圧を生じさせるものであって、
　【請求項２】
　請求項１記載のクリーニング装置において、上記筐体に形成した開口に負圧形成用のファンを設けると共に、前記制御部は上記像担持体から該筐体を含む各構成要素が離間する時に上記ファンを作動させるように制御することを特徴とするクリーニング装置。
　【請求項３】
　請求項２記載のクリーニング装置において、上記開口は上記トナー搬送スクリューの直上位置にある筐体壁面に形成されると共に、該開口に設けた上記ファンの内側にはフィルタを配置し、上記クリーニング装置が上記像担持体から進退する時の振動によって該フィルタに付着したトナーがトナー搬送スクリュー上に落下するように構成したことを特徴とするクリーニング装置。
【発明の詳細な説明】
　【０００１】
　【産業上の利用分野】
　本発明は電子写真プロセスを利用した画像形成装置に用いられるクリーニング装置の改良に関する。
　【０００２】
　【従来の技術】
　複写機、ファクシミリ、プリンタ等の電子写真プロセスを利用した画像形成装置は、感光体上に形成したトナー像を記録紙上に転写、定着することにより画像形成を行っているが、転写後の感光体表面にはトナー等が残留する為、次の作像に供する為にはこれを除去するクリーニング工程が必要となる。このため、転写位置の下流側にはクリーニング装置が配置される。このクリーニング装置としては、ブレード、ブラシを感光体表面に接触させることにより残留トナーを除去し、除去したトナーを回収タンク等に回収する構成を有するものが一般的である。また、感光体から中間転写体上に一旦転写したトナー画像を記録紙上に転写する構成を有する場合には、該中間転写体にブレード等を接することにより、クリーニングを行っている。
　【０００３】
　感光体上或は中間転写体上で複数色のトナー像を重ねてからこれを記録紙上に転写するカラー複写機においては、感光体等の上に全ての色のトナー像を形成するまで感光体等を連続回転する必要があるが、連続回転中にクリーニングを行うと既形成のトナー像が除去されるので、一連のトナー像形成工程が完了するまではクリーニング装置は感光体等の表面から退避した状態に保持されている。そして、一回の転写が終了した時点で初めてクリーニング装置のブレード等が感光体等の表面に接触して残留トナーの除去を行う。このようにカラー複写機においては、一回の作像工程毎にブレードが感光体等から離れる為、ブレードにより掻取られたトナーが機内に飛散する量が多くなる。
　また、白黒コピー機においてもブレード解除回数が増大すると、それに比例してトナーの飛散量が増大して機内を汚損し、メンテナンスの手数を増大する。また、汚れが悪化した場合には転写チャージャ等を汚し、画像劣化を惹起する原因となる。
　【０００４】
　【発明の目的】
　本発明は上記に鑑みてなされたものであり、感光体等に対するクリーニングブレードの接離回数が多い場合においてもトナーの飛散による機内汚損を最小限に抑えてメンテナンス手数の増大と画質の劣化を防止したクリーニング装置を提供することを目的としている。
　【０００５】
　【発明の構成】
　上記目的を達成するため、本発明は、像担持体からトナーを除去する除去手段と、除去したトナーを搬送するトナー搬送スクリューと、これらの構成要素を収納する筐体と、該筐体を含む各構成要素を一体的に該像担持体表面から接離する機構を備えたクリーニング装置において、
上記トナー搬送スクリューは、その作動により上記筐体内に負圧を生じさせるものであって、
　【０００６】
　以下、添付図面に示した実施例により本発明を詳細に説明する。
　図１は本発明のクリーニング装置を適用するカラー複写装置の構成説明図であり、図２は感光体、中間転写ベルト廻りの拡大図である。カラー画像読取り装置（以下、カラースキャナーと称する）１は、コンタクトガラスＣＧ上の原稿３の画像面に照明ランプ４から照射した光の反射光を、ミラー群５、及びレンズ６を介してカラーセンサ７に結像して、原稿のカラー画像情報を、例えばＢｌｕｅ，Ｇｒｅｅｎ，Ｒｅｄの色分解光毎に読取り、これを電気的な画像信号に変換する。そして、このカラースキャナー１によって得たＢ、Ｇ、Ｒの色分解画像信号強度レベルを元にして、画像処理部（図示しない）で色変換処理を行い、Ｂｌａｃｋ（以下、Ｂｋという）、Ｃｙａｎ（以下、Ｃという）、Ｍａｇｅｎｔａ（以下、Ｍという）、Ｙｅｌｌｏｗ（以下、Ｙという）のカラー画像データを得る。
　【０００７】
　次いでカラー画像記録装置（以下、カラープリンタと称する）２によって、Ｂｋ，Ｃ，Ｍ，Ｙの顕像化を行い、これを重ね合わせて４色フルカラー画像を形成する。
　【０００８】
　次に、カラープリンター２の概要を説明する。書込み光学ユニット８は、カラースキャナー１からのカラー画像データを光信号に変換して、原稿画像に対応した光書込みを行い、感光体ドラム（像担持体）９に静電潜像を形成する。
　感光体ドラム９は、矢印の如く反時計方向に回転するが、その廻りには感光体クリーニングユニット（クリーニング前除電器を含む）１０、除電ランプ１１、帯電器１２、電位センサ１３、Ｂｋ現像器１４、Ｃ現像器１５、Ｍ現像器１６、Ｙ現像器１７、現像濃度パターン検知器１８、中間転写ベルト１９等が配置されている。各現像器は、静電潜像を現像するために現像剤を感光体９に対向させる様回転する現像スリーブ（１４−１、１５−１、１６−１、１７−１）と、現像剤を汲み上げ、攪拌するために回転する現像パドル及び現像剤のトナー濃度検知センサ等で構成されている。現像動作の順序（カラー画像形成順序）を、Ｂｋ，Ｃ，Ｍ，Ｙの例について以下説明する。但し、画像形成順序はこれに限定されるものではない。
　【０００９】
　コピー動作が開始されると、カラースキャナ１で所定のタイミングからＢｋ画像データの読取りがスタートし、この画像データに基づきレーザ光による光書込み、潜像形成が始まる。（以下、Ｂｋ画像データによる静電潜像をＢｋ潜像と称す。Ｃ、Ｍ、Ｙについても同じ）このＢｋ潜像の先端部から現像可能とすべく、Ｂｋ現像器１４の現像位置に潜像先端部が到達する前に現像スリーブ１４−１を回転開始してＢｋ潜像をＢｋトナーで現像する。そして以後、Ｂｋ潜像領域の現像動作を続けるが、Ｂｋ潜像後端部がＢｋ現像位置を通過した時点で現像不作動状態にする。これは少なくとも次のＣ画像データによるＣ潜像先端部が到達する前に完了させる。
　【００１０】
　さて、感光体９に形成したＢｋトナー像は、これを感光体と等速駆動されている中間転写ベルト１９の表面に転写する（以下、感光体から中間転写ベルトへのトナー像転写をベルト転写と称する）。ベルト転写は、感光体９と中間転写ベルト１９とが接触した状態において、転写バイアスローラ２０に所定のバイアス電圧を印加することで行う。なお、中間転写ベルト１９には感光体９に順次形成するＢｋ，Ｃ，Ｍ，Ｙのトナー像を同一面に順次位置合わせして４色重ねのベルト転写画像を形成し、その後記録紙に一括転写を行う。なお、中間転写ベルトユニットの構成・動作については後述する。
　【００１１】
　ところで感光体９側ではＢｋ工程の次にＣ工程に進むが、所定のタイミングからカラースキャナー１によるＣ画像データ読取りが始まり、その画像データによるレーザ光書込みでＣ潜像形成を行う。
　Ｃ現像器１５はその現像位置に対して先のＢｋ潜像後端部が通過した後で且つＣ潜像の先端が到達する前に現像スリーブ１５−１を回転開始してＣ潜像をＣトナーで現像する。以後、Ｃ潜像領域の現像を続けるが、潜像後端部が通過した時点で先のＢｋ現像器の場合と同様に現像不作動状態にする。これもやはり次のＭ潜像先端部が到達する前に完了させる。
　なお、Ｍ及びＹの工程については、夫々の画像データ読取り・潜像形成・現像の各動作が上述のＢｋ・Ｃの工程と同様であるので説明は省略する。
　【００１２】
　次に、中間転写ベルトユニットについて説明する。
　中間転写ベルト（像担持体）１９は、駆動ローラ２１、ベルト転写バイアスローラ２０、及び従動ローラ群に張架されており、図示していない駆動モータにより後述の如く駆動制御される。
　ベルトクリーニングユニット２２は、ブラシローラ（除去手段）２２−１、ゴムブレード（除去手段）２２−２、及びベルトからの接離機構２２−３等で構成されており、一色目のＢｋ画像をベルト転写した後の、２、３、４色目をベルト転写している間は、接離機構２２−３によってベルト面から離間させておく。
　紙転写ユニット２３は、紙転写バイアスローラ２３−１、ローラクリーニングブレード２３−２、及びベルトからの接離機構２３−３等で構成されている。該バイアスローラア２３−１は、通常はベルト１９面から離間しているが、中間転写ベルト１９面に形成された４色の重ね画像を記録紙に一括転写する時にタイミングをとって接離機構２３−３で押圧され、該ローラ２３−１に所定のバイアス電圧を印加して紙への転写を行う。
　【００１３】
　尚、記録紙２４は、給紙ローラ２５、レジストローラ２６によって、中間転写ベルト面の４色重ね画像の先端部が紙転写位置に到達するタイミングに合わせて給紙される。
　中間転写ベルト面から４色重ねトナー像を一括転写された記録紙２４は、紙搬送ユニット２７で定着器２８に搬送され、所定温度にコントロールされた定着ローラ２８−１と加圧ローラ２８−２でトナー像を溶融定着してコピートレイ２９に搬出されてフルカラーコピーを得る。
　なお、ベルト転写後の感光体９は、感光体クリーニングユニット１０で表面をクリーニングされ、また除電ランプ１１で均一に除電を受ける。
　また、記録紙２４にトナー像を転写した後の中間転写ベルト１９はクリーニングユニット２２を再び接離機構２２−３で押圧して表面をクリーニングされる。
　上記においては４色フルカラーを得るコピーモードを説明したが、これ以外の多色モードの場合は、指定された色と回数の分について上記と同様の動作を行うことになる。また、単色コピーの場合は所定枚数が終了するまでの間その色の現像器のみを現像作動状態にして、中間転写ベルト１９は感光体９面に接触したまま往動方向に一定速駆動し更にベルトクリーナ２２もベルト１９に接触したままの状態でコピー動作を行う。
　【００１４】
　図３及び図４は本発明のクリーニング装置（クリーニングユニット）２２の具体的構成説明図であり、図３はクリーニング中（加圧状態）、図４は退避中の状態を示している。クリーニング装置２２の筐体１００内には上記ブラシローラ２２−１、ゴムブレード２２−２を配置すると共に、筐体１００の底部に位置する凹所１０１内には紙面と直交する方向にトナー搬送スクリュー１０２がその軸心を中心として回転自在に支持されている。スクリュー１０２は制御部からの制御信号によって駆動用モータを駆動することによって回転し、ブラシローラ、ブレードによって掻取られ落下してきたトナーを紙面と直交する方向へ搬送して図示しない回収部に回収するものである。また、凹所１０１からほぼ垂直に延びる壁面には開口１０３が形成されると共に該開口１０３の外側にはファン１０４、内側にはフィルタ１０５が夫々配置される。
　【００１５】
　図３に示したクリーニング中は、クリーニングブラシ２２−１が回転している為、ベルト１９表面から掻取られたトナーが飛散して筐体１００中を舞い、気流が乱れてユニット内圧が高くなっている。この状態で図４の如く加圧を解除すると、トナーはベルト１９と筐体との間の間隙から外部へ吹き出して行き、機内を汚損することになる。その対策としてクリーニング終了後しばらく時間の経過を待ってから加圧を解除すれば、トナー飛散量をある程度は減少できるが、かなりの量は依然として機内に噴出する。また、このように加圧解除を遅らせると、カラーコピーの処理速度が大幅に低下するため、加圧解除のタイミングの迅速化の要請を優先するならば、トナー飛散を受忍する必要があった。また、他の対策として筐体に空気抜きを形成して筐体１００内の内圧を低下することも考えられるが、筐体内では気流が乱れている為加圧を解除した時にかなりの量のトナーは依然として外部に漏れ出る。
　【００１６】
　そこで本発明の第１実施例では、回収トナーの搬送手段であるスクリュー１０２を高速で回転させることにより、筐体１００内を常時負圧（筐体外の機内圧との比較）にしておき、加圧解除時においてもスクリューを回転させ続けて負圧を維持することにより、加圧解除時に筐体外へトナーが噴出しないように、スクリュー駆動用のモータを制御するようにした。このように構成することにより、加圧解除の頻度が高くなってもトナー飛散量を減少することが可能となる。
　【００１７】
　次に、本発明の第２実施例では、ファン１０４により強制的に筐体１００の内圧を負圧にして加圧解除時にトナーが噴出することを防止する。即ち、ブラシ及びブレードによって回収されたトナーの多くは搬送スクリュー１０２によって筐体外へ排出されるが、筐体内に浮遊したトナーだけをいち早くファン１０４によて筐体外へ向けて吸引し、筐体外への排出前にフィルタ１０５に吸着せしめる。ファン１０４の存在目的は、トナー回収ではなく、負圧を生成して浮遊トナーを吸着除去させる点に存する。
　【００１８】
　なお、フィルタ１０５に付着したトナーはこれを除去、回収しないと、早いペースで堆積して目詰まりを起こし、開口１０３を閉塞する原因となる。しかし、一定周期ごとにフィルタを交換することも面倒である。そこで、本発明では、フィルタ１０５を搬送スクリュー１０２の直上位置に配置することにより、フィルターに堆積したトナーがスクリュー１０２上に落下し易くしている。即ち、トナーはクリーニング装置の加圧、加圧解除時の接離動作の振動によってスクリュー上に落下してそのまま筐体外へ搬送されるので、フィルタが目詰まりを起こすことが無く継続的に使用を続けることができる。また、スクリューの回転時にフィルタを含む開口１０３の縁部がスクリューの回転力によって振動するように構成したり、ファンの回転力によってフィルタが振動するように構成することにより、フィルタに付着したトナーを落下させるようにしてもよい。また、フィルタを筐体外から着脱可能に構成すれば、ユーザによるフィルタの交換、清掃が容易になるし、また筐体外に突出したフィルタの一部をユーザが振動せしめることにより付着したトナーを落下させるようにしてもよい。
　【００１９】
　なお、図３、図４では接離機構２２−３の具体的構成を示していないが、これは常法通り、ソレノイド、モータ、バネ等を用いて筐体１００を付勢、付勢解除し得るように構成すれば良い。
　上記実施例では転写ベルトを用いた例を示したが、本発明は感光体から直接転写を行うタイプに用いるクリーニング装置にも適用できる。
　【００２０】
　【発明の効果】
　以上の様に本発明は感光体や転写ベルト上に進退自在に接触して表面の残留トナー等を除去するクリーニング装置において、クリーニング装置をベルト等に対して加圧、加圧解除する回数が多い場合におけるトナーの機内飛散を防止する為に、クリーニング装置内の搬送スクリューを高速回転して筐体内を負圧にしたり、ファンによって負圧を生成するようにしたので、優れたトナー飛散防止効果を発揮することができる。
【図面の簡単な説明】
　【図１】本発明を適用する画像形成装置の一例を示す図。
　【図２】図１の作像部の拡大図。
　【図３】クリーニング装置の全体構成を示す拡大図であり、加圧時の状態を示す。
　【図４】加圧解除時の状態を示す拡大図。
　【符号の説明】
　２２　ベルトクリーニングユニット（クリーニング装置）、
　２２−１　ブラシローラ（除去手段）、
　２２−２　ゴムブレード（除去手段）、
　２２−３　接離機構、
　１００　筐体、
　１０１　凹所、
　１０２　トナー搬送スクリュー、
　１０３　開口、
　１０４　ファン、
　１０５　フィルタ、